(57)【要約】【課題】付箋に多くの情報を持たせることができ、付箋の粘着面の乾燥を防止しつつ用紙へ確実に貼付可能な画像形成装置を提供する。【解決手段】記録ヘッドと、付箋を格納する紙片トレイと、紙片トレイに格納された付箋を用紙に貼付する付箋貼付部と、を有する画像形成装置であって、記録ヘッドは付箋に画像を形成することが可能で、紙片トレイは付箋の粘着面が外気に触れない状態で付箋を格納し、付箋貼付部は用紙の画像が形成される面に付箋を貼付する。【選択図】  図１
2015145096.tif 000002
【特許請求の範囲】
【請求項１】
用紙を搬送する搬送手段と、
前記搬送手段が用紙を搬送する用紙搬送方向と直角な方向に移動し、前記搬送手段によって搬送される用紙にインクを吐出し画像を形成するインク吐出手段と、
付箋を格納する付箋格納手段と、
前記付箋格納手段に格納された付箋を用紙に貼付する付箋貼付手段と、
を有する画像形成装置であって、
前記インク吐出手段は、付箋に画像を形成し、
前記付箋格納手段は、付箋の粘着面が外気に触れない状態で付箋を格納し、
前記付箋貼付手段は、用紙の前記インク吐出手段によって画像が形成される面に付箋を貼付することを特徴とする画像形成装置。
【請求項２】
前記インク吐出手段は、前記付箋格納手段に格納されている、用紙に貼付する前の付箋に画像を形成することを特徴とする請求項１記載の画像形成装置。
【請求項３】
前記付箋格納手段に格納されている付箋の位置を固定する、付箋位置固定手段をさらに有することを特徴とする請求項１または２記載の画像形成装置。
【請求項４】
前記付箋格納手段に格納されている付箋の、次に貼付される付箋の画像が形成される面の高さを一定にする、付箋高さ安定手段をさらに有することを特徴とする請求項１から３のいずれか１項記載の画像形成装置。
【請求項５】
前記付箋格納手段は、画像形成装置の外部から付箋の交換及び補給されることを特徴とする請求項１から４のいずれか１項に記載の画像形成装置。
【請求項６】
前記インク吐出手段によって付箋に形成する画像に表示する情報を設定する付箋表示設定手段をさらに有することを特徴とする請求項１から５のいずれか１項に記載の画像形成装置。
【発明の詳細な説明】
【技術分野】
【０００１】
本発明は、画像形成装置に関し、特に用紙に付箋を貼付可能な画像形成装置に関する。
【背景技術】
【０００２】
画像形成装置における排紙部のジョブを仕分けする手法として、印刷ジョブにセパレータを挟む方法や付箋をつける手法がすでに検討され提案されている。
【０００３】
その１つの例として、画像形成装置の排紙処理において、排出される用紙に付箋を貼り付けてジョブ毎、若しくは同一ジョブ内で区分けする手法が既に知られている。
【０００４】
従来の方法によれば、用紙に貼り付ける付箋は色分けをする程度で、付箋に持たせることができる情報量は少なかった。そのため、異なるサイズの用紙に印刷する場合や、同時に多数のジョブの印刷を行う場合に、ユーザにとって仕分けられた印刷物の区別をすることが難しかった。
【０００５】
特許文献１には、印刷物を区別するために、ジョブの先頭または最後の印刷物に付箋を貼る方法が記載されている。その他にも、ジョブ毎に色の異なる付箋を貼る方法、ジョブ毎に付箋を貼る位置を変更する方法、付箋に印字する方法等が提案されている。
【０００６】
特許文献２には、印刷物から突き出す付箋の長さを変化させる方法が記載されている。これによって、複数のジョブが順次重ねられて排紙される場合や、同一ジョブ内で区分けを必要とするときにおいて細かな区分けが可能となる。
【０００７】
特許文献３には、印刷物に画像形成を行う領域内で付箋に印刷を行い、付箋を貼付することで、付箋専用の印刷ユニットを備える必要がなく、小型化された印刷装置が記載されている。
【発明の概要】
【発明が解決しようとする課題】
【０００８】
印刷物に付箋を貼ることで、ジョブ毎の印刷物を区別することが可能となったが、印字部分が狭いため、付箋に持たせることができる情報量が制限されるという問題がある。また、これまでの方法によれば、付箋の粘着面を外気に触れさせるため、付箋をつけない時間が長いと粘着面が乾いてしまい、付箋が取り付けられなくなるという問題がある。
【０００９】
特許文献１記載の方法では、付箋に印刷を行うためのユニットが大型化してしまう上に、粘着面が乾いてしまう問題については何ら考慮されていない。
【００１０】
特許文献２では、付箋への印字については特に言及されておらず、付箋が乾いてしまう問題にも触れていない。
【００１１】
特許文献３記載の方法では、付箋の粘着面を外側にして待機させているため、付箋が乾いてしまう問題は解決されていない。
【００１２】
本発明の目的は、付箋に多くの情報を持たせることができ、付箋の粘着面の乾燥を防止しつつ用紙へ確実に貼付可能な画像形成装置を提供することにある。
【課題を解決するための手段】
【００１３】
本発明の画像形成装置は、用紙を搬送する搬送手段と、前記搬送手段が用紙を搬送する用紙搬送方向と直角な方向に移動し、前記搬送手段によって搬送される用紙にインクを吐出し画像を形成するインク吐出手段と、付箋を格納する付箋格納手段と、前記付箋格納手段に格納された付箋を用紙に貼付する付箋貼付手段と、を有する画像形成装置であって、前記インク吐出手段は、付箋に画像を形成し、前記付箋格納手段は、付箋の粘着面が外気に触れない状態で付箋を格納し、前記付箋貼付手段は、用紙の前記インク吐出手段によって画像が形成される面に付箋を貼付することを特徴とする。
【発明の効果】
【００１４】
本発明によれば、付箋に多くの情報を持たせることができ、付箋の粘着面の乾燥を防止しつつ用紙へ確実に貼付可能な画像形成装置を提供することができる。
【図面の簡単な説明】
【００１５】
【図１】本発明の画像形成装置の実施形態１の構成を示す図である。
【図２】本発明の画像形成装置の実施形態１の構成を示すブロック図である。
【図３】本発明の画像形成装置の実施形態１の動作を示すフローチャート図である。
【図４】本発明の画像形成装置の付箋貼付部の実施形態１の構成を示す図である。
【図５】本発明の画像形成装置の付箋貼付部の実施形態１の動作を示す図である。
【図６】本発明の画像形成装置の付箋貼付部の実施形態１の動作を示す図である。
【図７】本発明の画像形成装置の付箋貼付部の実施形態１の動作を示す図である。
【図８】本発明の画像形成装置の付箋格納部の実施形態１の構成を示す図である。
【図９】本発明の画像形成装置の付箋高さ安定手段の実施形態１の構成を示す図である。
【図１０】本発明の画像形成装置の付箋表示設定手段の実施形態１の入力前の画面表示を示す図である。
【図１１】本発明の画像形成装置の付箋表示設定手段の実施形態１の入力後の画面表示を示す図である。
【図１２】本発明の画像形成装置の実施形態２の動作を示すフローチャート図である。
【図１３】従来の画像形成装置を示す図である。
【発明を実施するための形態】
【００１６】
＜実施形態１の構成＞
図２を参照しながら、画像形成装置１００の全体の構成について説明する。ＲＯＭ１０３には、画像形成装置１００のハードウェア制御を行うファームウェアや、記録ヘッド１１１の駆動波形データが格納されている。
【００１７】
画像データを含む印刷ジョブは、ホストＰＣ１０１等に備えられたプリンタドライバからホストＩ／Ｆ１０５を経由して受信するようになっている。
【００１８】
ＣＰＵ１０２は画像データをＲＡＭ１０４に格納し、インク吐出手段である記録ヘッド１１１が搭載されたキャリッジ１０９を記録媒体上の任意の位置に移動する。
【００１９】
記録ヘッド制御部１０６は、主走査エンコーダ１１３から得られるキャリッジ１０９の位置情報に連動し、ＲＡＭ１０４に格納された画像データ、ＲＯＭ１０３に格納された記録ヘッド駆動波形、および制御信号を記録ヘッド駆動部１１０に転送する。
【００２０】
記録ヘッド駆動部１１０は、記録ヘッド制御部１０６より転送されたデータをもとに、記録ヘッド１１１を駆動し、インク滴を吐出する。
【００２１】
また、画像形成装置１００には、いずれも図示しないアナログセンサ１１８ａ及び１１８ｂ、デジタルセンサ１１９ａ及び１１９ｂが設けられている。アナログセンサ１１８ａは、キャリッジ１０９内の温度情報等を、アナログセンサ１１８ｂは、排紙・給紙時の開閉部の開閉検知等を行う。さらに、デジタルセンサ１１９ａは主走査エンコーダ１１３から得られるキャリッジ１０９の位置情報を、デジタルセンサ１１９ｂは副走査エンコーダ１１６から得られる排紙・給紙時の用紙１００Ｐ位置の照合に必要なデジタルデータを検知する。
【００２２】
図１を参照しながら、付箋貼付部２００とその周辺の構成について説明する。キャリッジ１０９の記録ヘッド１１１によって画像が形成される領域を、画像形成領域１５０とする。
【００２３】
用紙１００Ｐは、搬送手段により矢印１００Ａが示す副走査方向へ搬送される。キャリッジ１０９は、記録ヘッド１１１を画像形成領域１５０内に保ち、矢印１００Ｂが示す用紙搬送方向と直角である主走査方向に移動する。
【００２４】
画像形成領域１５０の端部には、付箋貼付部２００が設けられている。付箋貼付部２００は、付箋格納手段として紙片トレイ２１０を有し、その中に付箋束２２０を格納している。図６の（ａ）に示すように、紙片トレイ２１０内では、付箋束２２０は粘着面２２１を下向きにした状態となっている。
【００２５】
図８に示すように、付箋束２２０は、付箋位置固定手段である付箋固定器具２１１によって、主走査方向に動かないように固定されている。また、付箋固定器具２１２は、副走査方向へ動かないように付箋束２２０を固定している。
【００２６】
図９に示すように、紙片トレイ２１０の底部には、付箋高さ安定手段として付箋高さ安定装置２１４が備え付けられている。付箋高さ安定装置２１４は弾性対等により形成されており、付箋束２２０の底部を押し上げ、付箋束２２０の最上面、即ち次に貼付される付箋の画像が形成される面の高さを一定に保っている。
【００２７】
図８に示すように、紙片トレイ２１０は、取っ手２１３を引くことで、付箋束２２０を紙片トレイ２１０の外部に引き出し、付箋の交換及び補給を行うことが可能となっている。
【００２８】
図４及び図５を参照しながら、付箋貼付手段として機能する付箋貼付部２００の詳細な構成について説明する。図４に示すように、付箋貼付部２００は、紙片トレイ２１０及び付箋束２２０の上部に、回転可能なローラ２０１、挿通ロッド２０２及び２０３を有する。
【００２９】
図５に示すように、ローラ２０１は矢印２００Ｃが示す方向に回転可能で、矢印２００Ｂが示す方向に移動可能となっている。また、挿通ロッド２０２及び２０３は、矢印２００Ａ及び矢印２００Ｂが示す方向に移動可能となっている。また、挿通ロッド２０２は、矢印２００Ｄが示す方向にも移動可能となっている。
【００３０】
＜実施形態１の動作＞
図３を参照しながら、実施形態１の動作について説明する。まず、画像形成領域への用紙の給紙が行われると（ステップＳ１０１）、送られてきた用紙が付箋の貼り付け対象であるかどうかを判断する（ステップＳ１０２）。ここで、付箋の貼り付け対象でない場合（ステップＳ１０２、Ｎｏ）、用紙への画像形成を行い（ステップＳ１０９）、用紙を送り、排紙する（ステップＳ１１０）。
【００３１】
用紙が付箋の貼り付け対象である場合（ステップＳ１０２、Ｙｅｓ）、まず、付箋の貼り付け位置が画像形成領域に至るまで、用紙に画像を形成しつつ（ステップＳ１０３）、付箋の貼り付け位置に至るまで紙を送る（ステップＳ１０４）。用紙が付箋の貼り付け位置に至ったと判断された場合（ステップＳ１０５、Ｙｅｓ）、用紙上の付箋が貼り付けられる位置に画像を形成する（ステップＳ１０６）。
【００３２】
その後、付箋の貼り付けを行い（ステップＳ１０７）、貼り付けられた付箋に対して画像の形成を行う（ステップＳ１０８）。そして、用紙の残りの部分への画像形成を行い（ステップＳ１０９）、用紙を送り、排紙して（ステップＳ１１０）、完了となる。
【００３３】
付箋の貼り付け方法について、図６及び図７を参照しながら説明する。まず、図４の挿通ロッド２０２及び２０３の実線で示す位置を奥、点線で示す位置を手前と定義する。図６の（ａ）に示すように、初めは挿通ロッド２０２が手前、挿通ロッド２０３が奥に位置している。
【００３４】
次に、ローラ２０１は、図６の（ｂ）に示すように、付箋束２２０の最上部の面と接する位置まで移動する。そして、図６の（ｃ）に示すように、ローラ２０１は回転し、付箋束２２０の最上部に位置している付箋をめくり上げる。同時に、挿通ロッド２０３が手前に移動した後、上部に移動する。
【００３５】
その後、図７の（ａ）に示すように、めくり上げられた付箋が用紙１００Ｐの上部まで移動したところで、挿通ロッド２０２は図７の（ｂ）に示すように用紙１００Ｐに向かって移動し、付箋の粘着面と用紙１００Ｐとを接触させ、付箋を貼り付ける。その後、図７の（ｃ）に示すように、挿通ロッド２０２は用紙１００Ｐから離れる方向に移動し、初期位置へ戻る。
【００３６】
また、図１０に示すような付箋情報設定画面３００を付箋表示設定手段として用い、付箋に付加する情報を設定することができる。これは、図２に示すホストＰＣ１０１から行うようにしても良いし、画像形成装置１００に直接操作画面を備え付けるようにしても良い。
【００３７】
図１０では、付箋情報設定画面３００では、オプションボタン３０１で設定する項目を選択し、プレビュー３０２で印刷時の様子を確認することができる。また、ページバー３０３を移動させて、設定したいページを選択することができる。
【００３８】
図１０の例では、「ジョブ仕分け」「章・ページ番号」「見出し」「コメント」の４項目を設定することができるようになっている。「ジョブ仕分け」を選択すると、数値のような部数毎にジョブを仕分ける情報を付加する。「章・ページ番号」を選択すると、文章データやスライドの章番号やページ番号等を付加する。「見出し」を選択すると、文書データの見出し情報を付加する。
【００３９】
「コメント」を選択した場合、図１１に示すように、ページ指定ボタン３０４及び入力ボックス３０５がさらに表示される。入力ボックス３０５に入力した文字列が付箋に表示される。また、ページ指定ボタン３０４では、付箋にコメントを表示するページを、現在のページのみとするか、全ページとするかを選択することができる。図１０及び図１１は付箋情報設定画面の１つの例であり、設定できる項目はこれらに限定されない。
【００４０】
＜実施形態１の効果＞
図１３は、従来の画像形成装置である。図１３に示すように画像形成領域１５０内には付箋貼付手段が設けられていないため、付箋の貼付を行う場合は、付箋への画像形成や貼付を行うためのユニットを別に設ける必要がある。
【００４１】
実施形態１では、付箋貼付部を画像形成領域内へ設置したことにより、用紙へ画像を形成するためのキャリッジを使用して付箋への画像形成を行うことができるようになっている。そのため、付箋への画像形成を行うためのユニットを別に設ける場合に比べて、小さい構成で多くの情報を付箋に持たせることが可能となっている。
【００４２】
また、図６の（ａ）に示すように、貼付する前の付箋の粘着面を直接外気に触れさせないようにしているため、粘着面の乾燥を防止することができ、用紙へ確実に付箋を貼り付けることができる。
【００４３】
＜実施形態２の動作＞
ここで、実施形態２の動作について、図１２を参照しながら説明する。まず、画像形成領域への用紙の給紙が行われると（ステップＳ２０１）、送られてきた用紙が付箋の貼り付け対象であるかどうかを判断する（ステップＳ２０２）。ここで、付箋の貼り付け対象でない場合（ステップＳ２０２、Ｎｏ）、用紙への画像形成を行い（ステップＳ２０９）、用紙を送り、排紙する（ステップＳ２１０）。
【００４４】
用紙が付箋の貼り付け対象である場合（ステップＳ２０２、Ｙｅｓ）、まず、貼り付ける前の付箋に対して画像の形成を行う（ステップＳ２０３）。付箋の貼り付け位置が画像形成領域に至るまで、用紙に画像を形成しつつ（ステップＳ２０４）、付箋の貼り付け位置に至るまで紙を送る（ステップＳ２０５）。
【００４５】
用紙が付箋の貼り付け位置に至ったと判断された場合（ステップＳ２０６、Ｙｅｓ）、用紙上の付箋が貼り付けられる位置に画像を形成し（ステップＳ２０７）、付箋を貼り付ける（ステップＳ２０８）。最後に、用紙の残りの部分への画像形成を行い（ステップＳ２０９）、用紙を送り、排紙して（ステップＳ２１０）、完了となる。
【００４６】
＜実施形態２の効果＞
実施形態２では、実施形態１と異なり、付箋を用紙に貼り付ける前に付箋に対する画像形成を行っているため、付箋に浮が少なく、精度の良い画像形成を行うことができる。
【００４７】
なお、上記の実施形態は、本発明の好適な実施形態であり、上記実施形態のみに本発明を限定するものではなく、本発明の要旨を逸脱しない範囲において種々の変更を施した形態での実施が可能である。
【符号の説明】
【００４８】
１００    画像形成装置
１０１    ホストＰＣ
１０２    ＣＰＵ
１０３    ＲＯＭ
１０４    ＲＡＭ
１０５    ホストＩ／Ｆ
１０６    記録ヘッド制御部
１０９    キャリッジ
１１０    記録ヘッド駆動部
１１１    記録ヘッド
１１２    主走査制御部
１１３    主走査エンコーダ
１１４    主走査モータ
１１５    副走査制御部
１１６    副走査エンコーダ
１１７    副走査モータ
１１８ａ、１１８ｂ    アナログセンサ
１１９ａ、１１９ｂ    デジタルセンサ
１５０    画像形成領域
２００    付箋貼付部
２０１    ローラ
２０２、２０３    挿通ロッド
２１０    紙片トレイ
２１１、２１２    付箋固定器具
２１３    取っ手
２１４    付箋高さ安定装置
２２０    付箋束
２２１    粘着面
３００    付箋情報設定画面
３０１    オプションボタン
３０２    プレビュー
３０３    ページバー
３０４    ページ指定ボタン
３０５    入力ボックス
【先行技術文献】
【特許文献】
【００４９】
【特許文献１】特開平１０−８７１４８号公報
【特許文献２】特開２００５−２３９３７５号公報
【特許文献３】特開２００８−２４６９３５号公報
【図１】
2015145096.tif 000003
【図２】
2015145096.tif 000004
【図３】
2015145096.tif 000005
【図４】
2015145096.tif 000006
【図５】
2015145096.tif 000007
【図６】
2015145096.tif 000008
【図７】
2015145096.tif 000009
【図８】
2015145096.tif 000010
【図９】
2015145096.tif 000011
【図１０】
2015145096.tif 000012
【図１１】
2015145096.tif 000013
【図１２】
2015145096.tif 000014
【図１３】
2015145096.tif 000015